(57)【要約】【課題】優れた筆感が得られるうえ、安定した書き味をも達成することができるボールペンチップ、ボールペンリフィル及びボールペンの提供。【解決手段】受座面４１に周方向に沿って延びるチャンネル枝溝４４を設け、このチャンネル枝溝４４をチャンネル溝４３に連通させ、これにより、チャンネル溝４３及びチャンネル枝溝４４の両方からインクが供給されるようにし、筆記ボール２Ａと受座面４１との間へのインクの供給量を増やす。このため、筆記ボール２Ａを受ける受座面４１を大きくしても、受座面４１全体を覆うのに充分な量のインクを常に供給でき、滑らかに筆記でき、優れた筆感を得ることができるうえ、受座面４１の拡大により、筆記時に、筆記ボール２Ａがボールハウス３１の所定位置に保持され、安定した書き味を達成することができる。【選択図】    図５
2010208182.tif 000002
【特許請求の範囲】
【請求項１】
被筆記物に転写させる筆記ボールと、
この筆記ボールが先端に回転自在に設けられたホルダーとを有し、
前記ホルダーには、
前記筆記ボールを回転自在に収納する収納空間として形成されたボールハウスと、
その後端から前記ボールハウスの近傍まで延びるバック孔と、
前記ボールハウス及び前記バック孔を相互に連通するインク誘導孔と、
前記ボールハウスの内面における前記インク誘導孔の周囲に形成されるとともに、前記筆記ボールの表面に当接する受座面を有し、この受座面で当該筆記ボールを受ける受座部と、
前記インク誘導孔の周縁から径方向外側へ延伸して前記受座部の前記受座面を分断するとともに、延伸方向の両側の内側面が互いに離間した断面形状に形成された複数のチャンネル溝とが設けられているボールペンチップであって、
前記受座面の前記チャンネル溝に臨む端縁から周方向に沿って当該受座面に彫られるとともに、前記チャンネル溝と連通しているチャンネル枝溝が設けられていることを特徴とするボールペンチップ。
【請求項２】
被筆記物に転写させる筆記ボールと、
この筆記ボールが先端に回転自在に設けられたホルダーとを有し、
前記ホルダーには、
前記筆記ボールを回転自在に収納する収納空間として形成されたボールハウスと、
その後端から前記ボールハウスの近傍まで延びるバック孔と、
前記ボールハウス及び前記バック孔を相互に連通するインク誘導孔と、
前記ボールハウスの内面における前記インク誘導孔の周囲に形成されるとともに、前記筆記ボールの表面に当接する受座面を有し、この受座面で当該筆記ボールを受ける受座部と、
前記インク誘導孔の周縁から径方向外側へ延伸して前記受座部の前記受座面を分断するとともに、延伸方向の両側の内側面が互いに離間した断面形状に形成された複数のチャンネル溝とが設けられているボールペンチップであって、
前記受座面の前記インク誘導孔に臨む端縁から径方向に外側に向かって当該受座面の途中まで彫られるとともに、前記インク誘導孔と連通しているチャンネル補助溝が設けられていることを特徴とするボールペンチップ。
【請求項３】
被筆記物に転写させる筆記ボールと、
この筆記ボールが先端に回転自在に設けられたホルダーとを有し、
前記ホルダーには、
前記筆記ボールを回転自在に収納する収納空間として形成されたボールハウスと、
その後端から前記ボールハウスの近傍まで延びるバック孔と、
前記ボールハウス及び前記バック孔を相互に連通するインク誘導孔と、
前記ボールハウスの内面における前記インク誘導孔の周囲に形成されるとともに、前記筆記ボールの表面に当接する受座面を有し、この受座面で当該筆記ボールを受ける受座部と、
前記インク誘導孔の周縁から径方向外側へ延伸して前記受座部の前記受座面を分断するとともに、延伸方向の両側の内側面が互いに離間した断面形状に形成された複数のチャンネル溝とが設けられているボールペンチップであって、
前記受座面の前記チャンネル溝に臨む端縁から周方向に沿って当該受座面に彫られるとともに、前記チャンネル溝と連通しているチャンネル枝溝と、
前記受座面の前記インク誘導孔に臨む端縁から径方向に外側に向かって当該受座面の途中まで彫られるとともに、前記インク誘導孔と連通しているチャンネル補助溝とが設けられていることを特徴とするボールペンチップ。
【請求項４】
前記インクが油性インクであることを特徴とする請求項１から３までのいずれかに記載のボールペンチップ。
【請求項５】
請求項１から４までのいずれかに記載のボールペンチップを備えていることを特徴とするボールペンリフィル。
【請求項６】
請求項１から４までのいずれかに記載のボールペンチップを備えていることを特徴とするボールペン。
【発明の詳細な説明】
【技術分野】
【０００１】
本発明は、被筆記物に転写させる筆記ボールが先端に設けられているボールペンチップ、並びに、このボールペンチップを備えたボールペンリフィル、及び、ボールペンに関する。
【背景技術】
【０００２】
従来から、筆記具として、油性ボールペンやゲルインクボールペン等のボールペンが広く利用されている。このようなボールペンとしては、その先端側に筆記用の筆記ボールが回転自在に設けられたボールペンチップを備え、このボールペンチップの後方にインクを収納したインク収納部が接続された構造を採用したものが一般的である。
【０００３】
ボールペンチップには、筆記ボールを回転自在に収納する収納空間として形成されたボールハウスと、当該ボールペンチップの後端からボールハウスの近傍まで延びるバック孔と、ボールハウス及びバック孔を相互に連通するインク誘導孔とが設けられている。
インク収納部の内部に収納されたインクは、バック孔及びインク誘導孔を通ってボールハウス内の筆記ボールに供給されるようになっている。
【０００４】
そして、ボールハウスの内面におけるインク誘導孔の周囲には、筆記ボールの表面を当接させる球面として形成された受座面を有し、この受座面で当該筆記ボールを受ける受座部と、インク誘導孔の周縁から径方向外側へ延伸して受座部の受座面を分断するとともに、延伸方向の両側の内側面が互いに離間した断面略四角形に形成された複数のチャンネル溝とが設けられている。
筆記ボールの表面には、インク誘導孔から直接インクが供給されるだけでなく、インク誘導孔からチャンネル溝を通ってインクの供給が行われるようになっている。これにより、筆記ボールの表面における広い範囲に同時にインクが供給されるようになっている。
【０００５】
このようなボールペンでは、ボールハウスの内部で筆記ボールを回転させて、筆記ボールの表面にインクを付着させ、さらに、筆記ボールの表面に付着したインクを被筆記物に転写することで、被筆記物への筆記が行われる。このため、筆記ボールと受座面との間に、潤滑剤として機能するインクが常に介在していなければ、円滑な筆記が行えない。
換言すると、受座面全体を覆うのに充分な量のインクが常に筆記ボールと受座面との間に供給されれば、受座面全体が常にインクに覆われるので、いわゆる油膜切れの状態にならず、滑らかに筆記でき、優れた筆感を得ることができる。
このため、受座面の面積を小さくすれば、受座面全体を覆うためのインクの量が少なくて済むので、優れた筆感を得るためには、受座面の面積を小さくした方が有利である。
【０００６】
一方、筆記ボールには、筆記の際に、後端側へ押圧する力や、ペン先の移動方向とは逆向きの力が加わる。これらの力によって、筆記ボールの位置がボールハウスの所定位置からずれると、安定した書き味を確保することができない。
このため、球面として形成された受座面を大きくし、これにより、受座部による筆記ボールの保持範囲を拡大し、後端側へ押圧する力だけでなく、ペン先の移動方向とは逆向きの力についても受座面で受けることができるようにし、これら二方向の力が筆記ボールに加わっても、筆記ボールがボールハウスの所定位置に保持されるようにする必要がある。また、受座面を拡大すれば、当該受座面の摩耗も抑制でき、これにより、ボールペンチップの耐久性能、特に、耐ボテ性能を向上することができる。
【０００７】
以上により、受座面の面積を小さくすれば、優れた筆感が得られるが、安定した書き味及び耐ボテ性能を確保するのが難しくなる一方、受座面の面積を大きくし、受座部による筆記ボールの保持範囲を広くすれば、安定した書き味及び耐ボテ性能を確保できるが、優れた筆感を得るのが困難になる。従って、優れた筆感の獲得と、安定した書き味及び耐ボテ性能の確保とは相反する関係にあり、これら両方の向上が困難となっている。
【０００８】
ところで、筆記時の筆感を向上するために、次の(１)〜(３)のようなボールペンチップが提案されている。
(１)  ボールペンチップにボールハウスを形成する際に、ボールハウスの内面に形成される受座面となる部分の内側に座ぐり孔部を設けることで、受座面を小さくして、受座面全体を覆うのに必要なインクの量を少なくし、潤滑剤としてのインクの供給不足を防止して、筆記時の筆記ボールの滑らかな回転を可能とし、これにより、当該ボールペンチップを利用したボールペンの筆感を優れたものにする（例えば、特許文献１参照）。
【０００９】
(２)  ボールペンチップの先端で筆記ボールをボールハウスから抜け出ないように抜け止めするカシメ部が形成する開口の内周縁と、この開口の近傍に位置する筆記ボールの表面との間に第１の空隙部を形成し、且つ、カシメ部の内面と、ボールハウスの内部に隠蔽されている筆記ボールの表面との間に第２の空隙部を形成し、第１の空隙部によってスムーズなインクのリターン現象を助長して、後から追従するインクの出の阻害を抑制し、さらに、第２の空隙部によってボールペンチップの先端近傍にインクの一時貯留空間が確保して、このインクの一時貯留空間でインク供給量の波をバッファし、これにより、筆記時におけるインクの追従性を著しく向上させ、当該ボールペンチップを利用したボールペンの筆感を良好にする（例えば、特許文献２参照）。
【００１０】
(３)  ボールハウスの内面においてインク誘導孔の周縁に形成される受座面を、周方向に延びてリング状に形成された環状溝で、外方支持区画と内方支持区画とに分断し、さらに、インク誘導孔の周縁から径方向外側へ延伸するチャンネル溝の内方支持区画を横切る部分については、両側の内側面の面間寸法、すなわち、幅寸法を著しく小さくして、内方支持区画の平面形状を閉鎖した閉鎖環状にし、これにより、内方支持区画と筆記ボールの表面で密閉構造を形成し、ペン先を上方に向けた際にボールペンチップ内部への空気の進入を防止する気密性を確保する。ここで、チャンネル溝の内方支持区画を横切る部分の幅寸法を著しく小さくしても、インクの供給量が充分確保できるように、内方支持区画の幅寸法を外方支持区画よりも小さくし、これにより、気密性の確保のために、チャンネル溝の幅を一部狭くしても、筆記時におけるインクの供給量が確保され、当該ボールペンチップを利用したボールペンの筆感が損なわれないようなる（例えば、特許文献３参照）。
【先行技術文献】
【特許文献】
【００１１】
【特許文献１】特開２００１−３９０７７号公報
【特許文献２】特開昭６１−２０５１９５号公報
【特許文献３】特公昭３８−７７６６号公報
【発明の概要】
【発明が解決しようとする課題】
【００１２】
前述のようなボールペンチップでは、筆記時の筆感をある程度の改善することはできるが、筆記時における優れた筆感及び安定した書き味の両方を達成することができない、という問題がある。
特に、(３)のボールペンチップでは、チャンネル溝の内方支持区画を横切る部分の幅寸法が著しく小さいので、速記等のペン先が速く動く場合には、受座面全体にインクが充分供給されず、油膜切れの状態になり、筆感を充分に向上することはできない。
【００１３】
そこで本発明は、上記した背景技術の有する問題点に鑑みてなされたものであり、その目的とするところは、優れた筆感が得られるうえ、安定した書き味をも達成することができるボールペンチップ、ボールペンリフィル及びボールペンを提供することである。
【課題を解決するための手段】
【００１４】
各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【００１５】
（第１発明）
（特徴点）
本発明の第１発明は、次の点を特徴とする。
すなわち、本発明の第１発明は、被筆記物に転写させる筆記ボール(２Ａ)と、
この筆記ボール(２Ａ)が先端に回転自在に設けられたホルダー(２１)とを有し、
前記ホルダー(２１)には、
前記筆記ボール(２Ａ)を回転自在に収納する収納空間として形成されたボールハウス(３１)と、
その後端から前記ボールハウス(３１)の近傍まで延びるバック孔(３２)と、
前記ボールハウス(３１)及び前記バック孔(３２)を相互に連通するインク誘導孔(３５)と、
前記ボールハウス(３１)の内面における前記インク誘導孔(３５)の周囲に形成されるとともに、前記筆記ボール(２Ａ)の表面に当接する受座面（４１）を有し、この受座面(４１)で当該筆記ボール(２Ａ)を受ける受座部(４０)と、
前記インク誘導孔(３５)の周縁(３５Ａ)から径方向外側へ延伸して前記受座部（４０）の前記受座面(４１)を分断するとともに、延伸方向の両側の内側面(４３Ａ)が互いに離間した断面形状に形成された複数のチャンネル溝(４３)とが設けられているボールペンチップ(２０)であって、
前記受座面(４１)の前記チャンネル溝(４３)に臨む端縁(４１Ａ)から周方向に沿って当該受座面(４１)に彫られるとともに、前記チャンネル溝(４３)と連通しているチャンネル枝溝(４４，４５)が設けられていることを特徴とする。
【００１６】
（第２発明）
（特徴点）
本発明の第２発明は、次の点を特徴とする。
すなわち、本発明の第２発明は、被筆記物に転写させる筆記ボール(２Ａ)と、
この筆記ボール(２Ａ)が先端に回転自在に設けられたホルダー(２１)とを有し、
前記ホルダー(２１)には、
前記筆記ボール(２Ａ)を回転自在に収納する収納空間として形成されたボールハウス(３１)と、
その後端から前記ボールハウス(３１)の近傍まで延びるバック孔(３２)と、
前記ボールハウス(３１)及び前記バック孔(３２)を相互に連通するインク誘導孔(３５)と、
前記ボールハウス(３１)の内面における前記インク誘導孔(３５)の周囲に形成されるとともに、前記筆記ボール(２Ａ)の表面に当接する受座面(４１)を有し、この受座面(４１)で当該筆記ボール(２Ａ)を受ける受座部(４０)と、
前記インク誘導孔(３５)の周縁(３５Ａ)から径方向外側へ延伸して前記受座部(４０)の前記受座面(４１)を分断するとともに、延伸方向の両側の内側面(４３Ａ)が互いに離間した断面形状に形成された複数のチャンネル溝(４３)とが設けられているボールペンチップ(２０)であって、
前記受座面(４１)の前記インク誘導孔(３５)に臨む端縁(４１Ｂ)から径方向に外側に向かって当該受座面(４１)の途中まで彫られるとともに、前記インク誘導孔(３５)と連通しているチャンネル補助溝(４６，４７)が設けられていることを特徴とする。
【００１７】
（第３発明）
（特徴点）
本発明の第３発明は、次の点を特徴とする。
すなわち、本発明の第３発明は、被筆記物に転写させる筆記ボール(２Ａ)と、
この筆記ボール(２Ａ)が先端に回転自在に設けられたホルダー(２１)とを有し、
前記ホルダー(２１)には、
前記筆記ボール(２Ａ)を回転自在に収納する収納空間として形成されたボールハウス(３１)と、
その後端から前記ボールハウス(３１)の近傍まで延びるバック孔(３２)と、
前記ボールハウス(３１)及び前記バック孔(３２)を相互に連通するインク誘導孔(３５)と、
前記ボールハウス(３１)の内面における前記インク誘導孔(３５)の周囲に形成されるとともに、前記筆記ボール(２Ａ)の表面に当接する受座面(４１)を有し、この受座面(４１)で当該筆記ボール(２Ａ)を受ける受座部(４０)と、
前記インク誘導孔(３５)の周縁(３５Ａ)から径方向外側へ延伸して前記受座部(４０)の前記受座面(４１)を分断するとともに、延伸方向の両側の内側面が互いに離間した断面形状に形成された複数のチャンネル溝とが設けられているボールペンチップであって、
受座面(４１)の前記チャンネル溝(４３)に臨む端縁(４１Ａ)から周方向に沿って当該受座面(４１)に彫られるとともに、前記チャンネル溝(４３)と連通しているチャンネル枝溝(４５)と、
前記受座面(４１)の前記インク誘導孔(３５)に臨む端縁(４１Ｂ)から径方向に外側に向かって当該受座面(４１)の途中まで彫られるとともに、前記インク誘導孔(３５)と連通しているチャンネル補助溝(４６，４７)とが設けられていることを特徴とする。
【００１８】
（第４発明）
（特徴点）
本発明の第４発明は、前述した本発明の第１の発明から第３の発明までのいずれかの発明において、次の特徴点を備えたものである。
すなわち、本発明の第４発明は、前記インクが油性インクであることを特徴とする。
【００１９】
（第５発明）
（特徴点）
本発明の第５発明は、ボールペンリフィル(２)に係るものであり、前述した本発明の第１の発明から第４の発明までのいずれかの発明に係るボールペンチップ(２０)を備えていることを特徴とするものである。
【００２０】
（第６発明）
（特徴点）
本発明の第６発明は、ボールペン(１)に係るものであり、前述した本発明の第１の発明から第４の発明までのいずれかの発明に係るボールペンチップ(２０)を備えていることを特徴とするものである。
【発明の効果】
【００２１】
（発明の効果）
以上のように構成されている本発明は、以下に記載されるような効果を奏する。
すなわち、本発明によれば、受座面のチャンネル溝に臨む端縁から周方向に沿って当該受座面に彫られるチャンネル枝溝を設け、チャンネル枝溝をチャンネル溝に連通させる、あるいは、受座面のインク誘導孔に臨む端縁から径方向に外側に向かって当該受座面の途中まで彫られるチャンネル補助溝を設け、このチャンネル補助溝をインク誘導孔に連通させるので、筆記ボールと受座面との間には、チャンネル溝だけでなく、チャンネル枝溝又はチャンネル補助溝からもインクの供給が行え、筆記ボールと受座面との間へのインクの供給量を増やすことができ、筆記ボールを受ける受座面を大きくしても、受座面全体を覆うのに充分な量のインクを常に筆記ボールと受座面との間に供給することができる。
これにより、受座面を大きくしても、受座面全体が常にインクに覆われるようになるので、いわゆる油膜切れの状態にならず、滑らかに筆記でき、優れた筆感を得ることができるうえ、筆記ボールを受ける受座面を拡大することが可能となり、受座面の拡大により、受座部による筆記ボールの保持範囲が拡大され、筆記時に、筆記ボールがボールハウスの所定位置に保持されるようになり、安定した書き味を達成することができ、以上により前記目的が達成される。
【図面の簡単な説明】
【００２２】
【図１】本発明の第１実施形態に係るボールペンを示す正面図及び平断面図である。
【図２】前記第１実施形態に係るボールペンリフィルを示す正面図及び平断面図である。
【図３】前記第１実施形態に係るボールペンチップを示す正面図である。
【図４】前記第１実施形態に係るボールペンチップの要部を示す断面図である。
【図５】前記第１実施形態に係る受座面を示す平面図である。
【図６】本発明の第２実施形態に係るボールペンチップの要部を示す断面図である。
【図７】前記第２実施形態に係る受座面を示す平面図である。
【図８】本発明の第３実施形態に係るボールペンチップの要部を示す断面図である。
【図９】前記第３実施形態に係る受座面を示す平面図である。
【図１０】本発明の第４実施形態に係るボールペンチップの要部を示す断面図である。
【図１１】前記第４実施形態に係る受座面を示す平面図である。
【図１２】本発明の第５実施形態に係るボールペンチップの要部を示す断面図である。
【図１３】前記第５実施形態に係る受座面を示す平面図である。
【発明を実施するための最良の形態】
【００２３】
（第１実施形態）
以下に、本発明を実施するための最良の形態である実施形態について、図面に基づいて説明する。
図１〜図５は、本発明の第１実施形態を示すものである。図１は、本第１実施形態に係るボールペンを示す正面図及び平断面図、図２は、本第１実施形態に係るボールペンリフィルを示す正面図及び平断面図、図３は、本第１実施形態に係るボールペンチップを示す正面図、図４は、本第１実施形態に係るボールペンチップの要部を示す断面図、図５は、本第１実施形態に係る受座面を示す平面図である。
なお、本明細書において、筆記具における先端とは、軸筒の両端のうち、用紙等の書き込み対象に接する側の端部をいう。また、これとは反対側の端部を、筆記具における後端という。
【００２４】
（ボールペン１の概略構成）
本第１実施形態に係るボールペン１は、図１に示すように、油性インクで筆記を行うボールペンリフィル２と、このボールペンリフィル２を内部に収納する軸筒３とを備えたものとなっている。
【００２５】
（軸筒３）
軸筒３は、図１の如く、図１中左方に配置されるとともに、先細りとなった先軸部３Ａと、図１中右方に配置される後軸部３Ｂとを分離可能に連結したものである。
すなわち、先軸部３Ａは、図１（Ｂ）に示すように、その後軸部３Ｂ側に配置された端部近傍の外周面に雄ネジ部３Ｃが形成されたものとなっている。
一方、後軸部３Ｂは、その先軸部３Ａ側に配置された端部近傍の内周面に、先軸部３Ａ側の雄ネジ部３Ｃと螺合する雌ネジ部３Ｄが形成されたものとなっている。
これにより、先軸部３Ａ及び後軸部３Ｂは、雄ネジ部３Ｃと雌ネジ部３Ｄとの螺合により相互に連結されるとともに、これら雄ネジ部３Ｃ及び雌ネジ部３Ｄの螺合を解除することで、分離が可能となっている。
【００２６】
ここで、先軸部３Ａの先端部分には、筆記体の先端を突出させるための先端口３Ｅが設けられている。
一方、後軸部３Ｂの後端部分には、ノック操作力を受けるために設けられた後述するボタン部１２の後端部分を挿通させる開口３Ｆが設けられている。
また、後軸部３Ｂの内部には、ノック操作で軸筒３の先端口３Ｅから突出した筆記体の先端を突出した状態に留めておくための回転子１１と、軸筒３の先端口３Ｅから筆記体の先端を突出させるノック操作力を受けるボタン部１２と、回転子１１を後端側へ付勢するためのコイルバネ１４とが設けられている。
【００２７】
回転子１１は、略円筒状の部品であり、その外周面から径方向外側に突出するキー部１１Ｂが設けられている。
このような回転子１１は、その先端側の開口が凹部１１Ａとされ、この凹部１１Ａの内部に、ボールペンリフィル２の後端部を嵌合させることで、当該ボールペンリフィル２と接続されるようになっている。
【００２８】
一方、後軸部３Ｂの内周面には、当該内周面から径方向内側に突出するとともに、後軸部３Ｂの長手方向に延びる複数のガイドリブ３Ｇと、これらのガイドリブ３Ｇの間に形成されているとともに、後軸部３Ｂの長手方向に延びる複数のガイド溝３Ｈとが設けられている。
【００２９】
複数のガイドリブ３Ｇは、先端側の端部が後軸部３Ｂの長手方向における同じ位置に配置されている。そして、これらのガイドリブ３Ｇの先端側における端部のそれぞれには、同じ方向に傾斜したガイド傾斜面３Ｉが設けられている。
複数のガイド溝３Ｈの各々は、その内部に進入してきた回転子１１のキー部１１Ｂを後軸部３Ｂの長手方向に案内するものである。
これらのガイド溝３Ｈの先端側の端部は、後軸部３Ｂの長手方向における同じ位置に配置されている。そして、ガイド溝３Ｈは、後軸部３Ｂの長手方向の長さ寸法が異なるものが２種類設けられている。長さの長いガイド溝３Ｈと、長さの短いガイド溝３Ｈとは、周方向に互い違いに設けられている。
【００３０】
ボタン部１２は、先端側の部分を後軸部３Ｂの内部に没入させたままの状態で、後端側の部分が後軸部３Ｂの開口３Ｆから突没するように形成されている。
コイルバネ１４は、後軸部３Ｂの内部において圧縮された状態で収納されている。すなわち、後軸部３Ｂの先端近傍には、当該後軸部３Ｂの内径とほぼ同一の外径を有する筒状に形成されたバネ受筒１５が圧入されている。
コイルバネ１４は、バネ受筒１５の後端縁と、回転子１１の先端縁との間に圧縮状態で介装され、これにより発生する弾性力で回転子１１及びボタン部１２を後端側へ向かって付勢するものとなっている。
【００３１】
ここで、回転子１１のキー部１１Ｂが長さの長いガイド溝３Ｈの内部に収納された状態では、ボールペンリフィル２の先端は、軸筒３の先端口３Ｅの内部に引き込まれた状態になるように形成されている。
そして、ボールペンリフィル２の先端が先端口３Ｅの内部に収納されている状態で、ボタン部１２に押圧力を加えて、コイルバネ１４の弾性力に抗してボタン部１２を先端側へ押すと、ボタン部１２は、回転子１１を先端側へ移動させ、これにより、ボールペンリフィル２の先端を先端口３Ｅから突出させるようになっている。
ボタン部１２を先端側へ押し切ってしまうと、回転子１１のキー部１１Ｂは、長さの長いガイド溝３Ｈの端部よりも先端側へ移動し、長さの長いガイド溝３Ｈの外側へ抜け出るようになっている。
【００３２】
この後、ボタン部１２に加えられていた押圧力が解除されると、回転子１１及びボタン部１２は、コイルバネ１４の弾性力で後端側へ移動を開始するようになっている。
回転子１１は、後端側へ移動をする際、そのキー部１１Ｂがガイドリブ３Ｇの先端側端部に設けられたガイド傾斜面３Ｉに案内されて回転するようになっている。
この回転子１１の回転により、キー部１１Ｂは、ノック操作前に入っていた長さの長いガイド溝３Ｈではなく、その隣に配置された長さの短いガイド溝３Ｈの内部に進入するようになっている。
これにより、ボールペンリフィル２は、先端が軸筒３の先端口３Ｅから突出した状態が維持され、当該ボールペンリフィル２での筆記が可能となっている。
【００３３】
そして、ボールペンリフィル２は、筆記が終わった後に、再度、ボタン部１２をノックする、換言すると、ノック操作を行うことによって、その先端が軸筒３の先端口３Ｅの内部に引き込まれるようになっている。
すなわち、当該ボールペンリフィル２の先端が軸筒３の先端口３Ｅから突出している状態で、ノック操作が行われると、キー部１１Ｂは、回転子１１の回転によって、ノック操作前に入っていた長さの短いガイド溝３Ｈから出て、その隣に配置された長さの長いガイド溝３Ｈの内部に進入するようになっている。これにより、ボールペンリフィル２は、コイルバネ１４の弾性力で軸筒３の後端側へ後退して、先端が先端口３Ｅの内部に引き込まれるようになっている。
【００３４】
（ボールペンリフィル２）
ボールペンリフィル２は、図２に示すように、先端に筆記ボール２Ａが回転自在に設けられたボールペンチップ２０と、このボールペンチップ２０で使用される筆記用の油性インクを内部に貯留しているパイプ状の筒体２Ｂとを有するものである。
【００３５】
（ボールペンチップ２０）
ボールペンチップ２０は、図３に示すように、当該ボールペンチップ２０の先端に配置されるとともに、表面に付着したインクを被筆記物に転写させる前述の筆記ボール２Ａと、この筆記ボール２Ａを回転自在に保持するホルダー２１とを有するものとなっている。
このうち、ホルダー２１は、先端から後端まで全体を貫通する中空部３０が形成されたものであり、略中央部分に配置されるとともに、円筒状に形成されたパイプ部２１Ａと、このパイプ部２１Ａの先端側に形成されるとともに、先細りとなったテーパー部２１Ｂと、パイプ部２１Ａの後端側に形成されるとともに、パイプ部２１Ａよりも外径が小さい縮径部２１Ｃを備えている。
ホルダー２１は、縮径部２１Ｃをパイプ状に形成された筒体２Ｂの内部に嵌合させることによって、筒体２Ｂの先端部分に接続されている。
【００３６】
ここで、ホルダー２１の先端部分の内部には、筆記ボール２Ａを回転自在に収納する収納空間であるボールハウス３１が、中空部３０の一部分として形成されている。
また、ホルダー２１の後端部分、換言すると、ボールペンチップ２０の後端分部には、当該後端からボールハウス３１の近傍まで延びるバック孔３２が、中空部３０の一部分として形成されている。このバック孔３２は、筒体２Ｂの内部と連通して、筒体２Ｂ内に貯留されているインクを内部に導き入れるための空間となっている。
なお、バック孔３２には、内径が互いに異なる小径部３３及び大径部３４とが設けられている。このうち、内径の小さい小径部３３は、テーパー部２１Ｂに形成され、内径の大きい大径部３４は、パイプ部２１Ａ及び縮径部２１Ｃにまたがって形成されている。
さらに、ホルダー２１の内部には、ボールハウス３１及びバック孔３２を相互に連通するインク誘導孔３５が、中空部３０の一部分として形成されている。
【００３７】
ホルダー２１の先端部分は、図４に示すように、筆記ボール２Ａの表面に覆い被さるように折り曲げられたカシメ部２２となっている。このカシメ部２２は、ボールハウス３１の内部に収納された筆記ボール２Ａがボールハウス３１から抜け出ないようにする抜け止めとなっている。
そして、ボールハウス３１には、筆記ボール２Ａを受けるための受座部４０が形成されている。受座部４０は、図４及び図５に示すように、ボールハウス３１の内面におけるインク誘導孔３５の周囲に形成されるとともに、筆記ボール２Ａの表面に当接する受座面４１を有し、この受座面４１で当該筆記ボール２Ａを受けるものとなっている。なお、図５では、斜線で示した部分が受座面４１となっている。
【００３８】
また、ボールハウス３１には、インク誘導孔３５の周縁３５Ａから径方向外側へ延伸して、受座部４０の受座面４１を複数に分断するとともに、延伸方向の両側の内側面４３Ａが互いに離間した断面略四角形に形成された複数のチャンネル溝４３が設けられている。
さらに、ボールハウス３１には、受座面４１のチャンネル溝４３に臨む端縁４１Ａの略中央部分から周方向に沿って当該受座面４１に彫られるとともに、チャンネル溝４３と連通している複数のチャンネル枝溝４４が設けられている。
【００３９】
ここで、チャンネル枝溝４４の各々は、受座面４１の端縁４１Ａから受座面４１の中心よりも手前の位置で途絶えたものとなっており、反対側の端縁４１Ａには到達していない。
また、各チャンネル枝溝４４は、筆記ボール２Ａと受座面４１との間に供給されるべき量のインクを流通させるのに充分な幅寸法及び深さ寸法を有している。
例えば、筆記ボール２Ａの直径が０．７mmである場合、チャンネル枝溝４４の幅寸法としては、０．０３mmが採用でき、チャンネル枝溝４４の深さ寸法としては、０．０３mmが採用できる。
【００４０】
（インク）
次に、本実施形態で採用するインクについて簡単に説明する。
本第１実施形態では、着色剤と、下記の化１で表される溶剤がインク中の全溶剤の５０質量％以上を占める主溶剤と、この溶剤に可溶な樹脂とを含み、測定温度：２５℃、剪断速度：３．８３／ｓにおいて７００ｍＰａ・ｓ〜８，０００ｍＰａ・ｓの範囲にある油性インクが採用されている。
【００４１】
【化１】
2010208182.tif 000003
【００４２】
この化１に該当する主溶剤として具体例を挙げると、３−メトキシブタノール、３−メチル−３−メトキシブタノール、３−メチル−１，３ブタンジオール、１，３−ブタンジオール、へキシレングリコールなどがある。このうち、３−メトキシブタノール、３−メチル−３−メトキシブタノールを採用するのが好適である。
このような主溶剤には、相溶性に優れた補助溶剤を含ませることができる。
【００４３】
また、インクには、様々な目的や用途を達成するために、前記溶剤に可溶な樹脂が添加される。例えば、固形分の調整、ペン先の摩耗抑制、色材の定着性及び固着性向上、粘度調整、耐擦過性の向上、顔料分散などの目的を達成するために、その目的に対応した樹脂が添加される。
換言すると、インクに添加される樹脂は、目的に応じて、その種類や分子量、インク配合量が適宜選択される。このような樹脂の具体例を挙げると、ケトン樹脂、スチレン樹脂、スチレン−アクリル樹脂、テルペンフェノール樹脂を含むテルペン系樹脂、ロジン変性マレイン酸樹脂、ロジンフェノール樹脂、アルキルフェノール樹脂、フェノール系樹脂、スチレンマレイン酸樹脂、ロジン系樹脂、アクリル系樹脂、尿素アルデヒド系樹脂、マレイン酸系樹脂、シクロヘキサン系樹脂、ポリビニルピロリドン、セルロース系樹脂、ポリビニルブチラールなどがある。
【００４４】
（ボールペンチップ２０の製造手順）
次に、本第１実施形態に係るボールペンチップ２０の製造手順について簡単に説明する。
本第１実施形態に係るボールペンチップ２０は、次の製造手順(１)〜(３)のいずれでも製造可能である。
【００４５】
製造手順(１)
ボールペンチップ２０に形成したボールハウス３１を仕上げるための切削加工を行う第１工程、第１工程で仕上げたボールハウス３１にチャンネル溝４３を形成する第２工程、ボールハウス３１にチャンネル枝溝４４をプレス加工で形成する第３工程、及び、ボールハウス３１に筆記ボール２Ａを投入し、この状態で、ホルダー２１の先端をかしめてカシメ部２２を形成する第４工程を順次行う製造手順。
【００４６】
製造手順(２)
ボールペンチップ２０に形成したボールハウス３１を仕上げるための切削加工を行う第１工程、第１工程で仕上げたボールハウス３１にチャンネル枝溝４４を切削加工で形成する第２工程、ボールハウス３１にチャンネル溝４３を形成する第３工程、及び、ボールハウス３１に筆記ボール２Ａを投入し、この状態で、ホルダー２１の先端をかしめてカシメ部２２を形成する第４工程を順次行う製造手順。
【００４７】
製造手順(３)
ボールペンチップ２０に形成したボールハウス３１を仕上げるための切削加工を行う第１工程、第１工程で仕上げたボールハウス３１にチャンネル溝４３を形成する第２工程、ボールハウス３１にチャンネル枝溝４４を打ち抜き加工で形成する第３工程、及び、ボールハウス３１に筆記ボール２Ａを投入し、この状態で、ホルダー２１の先端をかしめてカシメ部２２を形成する第４工程を順次行う製造手順。
【００４８】
なお、ボールハウス３１を仕上げるための切削加工を行う前に、ボールハウス３１にチャンネル溝４３を形成する手順を採用してもよく、この手順を採用した場合、製造されたボールペンチップ２０には、何ら問題が生じない。
一方、ボールハウス３１を仕上げるための切削加工を行う前に、ボールハウス３１にチャンネル枝溝４４を形成する手順を採用すると、ボールハウス３１を仕上げるための切削加工を行った際に発生した切削屑が幅の狭いチャンネル枝溝４４を塞ぎ、インクの流通を妨げることがあるので、充分な潤滑性が得られないおそれがある。
【００４９】
前述のような本第１実施形態によれば、次のような効果が得られる。
すなわち、受座面４１のチャンネル溝４３に臨む端縁４１Ａの略中央部分から周方向に沿って当該受座面４１に彫られるチャンネル枝溝４４を設け、チャンネル枝溝４４をチャンネル溝４３に連通させたので、筆記ボール２Ａと受座面４１との間には、チャンネル溝４３だけでなく、チャンネル枝溝４４からもインクの供給が行え、筆記ボール２Ａと受座面４１との間へのインクの供給量を増やすことができ、筆記ボール２Ａを受ける受座面４１を大きくしても、受座面４１全体を覆うのに充分な量のインクを常に筆記ボール２Ａと受座面４１との間に供給することができる。
これにより、受座面４１を大きくしても、受座面４１全体が常にインクに覆われるようになるので、いわゆる油膜切れの状態にならず、滑らかに筆記でき、優れた筆感を得ることができるうえ、筆記ボール２Ａを受ける受座面４１を拡大することが可能となり、受座面４１の拡大により、受座部４０による筆記ボール２Ａの保持範囲が拡大され、筆記時に、筆記ボール２Ａがボールハウス３１の所定位置に保持されるようになり、安定した書き味を達成することができ、以上により、優れた筆感を得ることができ、且つ、安定した書き味を達成することができる。
【００５０】
（第２実施形態）
図６及び図７は、本発明の第２実施形態を示すものである。すなわち、図６は、本第２実施形態に係るボールペンチップの要部を示す断面図、図７は、本第２実施形態に係る受座面を示す平面図である。
本第２実施形態は、前記第１実施形態における、受座面４１の中心手前位置で途絶えて反対側の端縁４１Ａには到達しないチャンネル枝溝４４を、一方の受座面４１から反対側の端縁４１Ａまで延びるチャンネル枝溝４５としたものである。
このような本第２実施形態によっても、前記第１実施形態と同様の効果を奏することができる。
【００５１】
（第３実施形態）
図８及び図９は、本発明の第３実施形態を示すものである。すなわち、図８は、本第３実施形態に係るボールペンチップの要部を示す断面図、図９は、本第３実施形態に係る受座面を示す平面図である。
本第３実施形態は、前記第１実施形態における周方向に沿って受座面４１に彫られているチャンネル枝溝４４を、径方向に沿って受座面４１に彫られているチャンネル補助溝４６に代えたものである。
具体的には、ボールハウス３１に設けられている複数の受座面４１の各々には、図８及び図９に示すように、インク誘導孔３５と連通するチャンネル補助溝４６が彫られている。
これらのチャンネル補助溝４６の各々は、受座面４１のインク誘導孔３５に臨む端縁４１Ａの略中央部分から径方向に外側に向かって当該受座面４１の途中まで延伸したものとなっている。
各チャンネル補助溝４６は、筆記ボール２Ａと受座面４１との間に供給されるべき量のインクを流通させるのに充分な幅寸法及び深さ寸法を有している。
例えば、筆記ボール２Ａの直径が０．７mmである場合、チャンネル補助溝４６の幅寸法としては、０．０６mmが採用でき、チャンネル補助溝４６の深さ寸法としては、０．０６mmが採用できる。
【００５２】
このような本第３実施形態によっても、前記第１及び第２実施形態と同様の効果を奏することができる。
すなわち、受座面４１のインク誘導孔３５に臨む端縁４１Ｂの略中央部分から径方向に外側に向かって当該受座面４１の途中まで彫られるチャンネル補助溝４６を設け、このチャンネル補助溝４６をインク誘導孔３５に連通させたので、筆記ボール２Ａと受座面４１との間には、チャンネル溝４３だけでなく、チャンネル補助溝４６からもインクの供給が行え、筆記ボール２Ａと受座面４１との間へのインクの供給量を増やすことができ、筆記ボール２Ａを受ける受座面４１を大きくしても、受座面４１全体を覆うのに充分な量のインクを常に筆記ボール２Ａと受座面４１との間に供給することができる。
これにより、受座面４１を大きくしても、受座面４１全体が常にインクに覆われるようになるので、いわゆる油膜切れの状態にならず、滑らかに筆記でき、優れた筆感を得ることができるうえ、筆記ボール２Ａを受ける受座面４１を拡大することが可能となり、受座面４１の拡大により、受座部４０による筆記ボール２Ａの保持範囲が拡大され、筆記時に、筆記ボール２Ａがボールハウス３１の所定位置に保持されるようになり、安定した書き味を達成することができ、以上により、優れた筆感を得ることができ、且つ、安定した書き味を達成することができる。
【００５３】
（第４実施形態）
図１０及び図１１は、本発明の第４実施形態を示すものである。すなわち、図１０は、本第４実施形態に係るボールペンチップの要部を示す断面図、図１１は、本第４実施形態に係る受座面を示す平面図である。
本第４実施形態は、前記第２実施形態におけるチャンネル枝溝４５及び前記第３実施形態におけるチャンネル補助溝４６の両方を受座面４１に設けたものである。
このような本第４実施形態によっても、前記第１〜３実施形態と同様の効果を奏することができる。
【００５４】
（第５実施形態）
図１２及び図１３は、本発明の第５実施形態を示すものである。すなわち、図１２は、本第５実施形態に係るボールペンチップの要部を示す断面図、図１３は、本第５実施形態に係る受座面を示す平面図である。
本第５実施形態は、前記第４実施形態におけるチャンネル枝溝４５には到達していないチャンネル補助溝４６を、チャンネル枝溝４５まで延びて、当該チャンネル枝溝４５と直接連通しているチャンネル補助溝４７としたものである。
このような本第５実施形態によっても、前記第１〜４実施形態と同様の効果を奏することができる。
【００５５】
なお、本発明は、前記実施形態に限定されるものではなく、本発明の目的を達成できる範囲における変形及び改良などをも含むものである。
例えば、ボールペンとしては、軸筒後端に設けられたボタンを押圧操作することで、ペン先の出し入れを行うノック式のものに限らず、軸筒の後端側部分を回転操作してペン先の出し入れを行う回転操作式のボールペンでもよく、ペン先を出し入れするための機構は、実施にあたり適宜選択できる。
また、ボールペンとしては、ペン先を隠蔽するキャップが着脱可能に設けられているキャップ式のボールペン等、ペン先を出し入れするための機構を備えていないボールペンでもよい。
さらに、ボールペンとしては、軸筒内に１本のボールペンリフィルを備えた単式のボールペンに限らず、軸筒内に２本以上のボールペンリフィルや、ボールペンリフィルに加えてシャープペンシルリフィルを備えている複式のボールペンでもよい。
【符号の説明】
【００５６】
１    ボールペン                  ２    ボールペンリフィル
２Ａ  筆記ボール                  ２Ｂ  筒体
３    軸筒                        ３Ａ  先軸部
３Ｂ        後軸部                      ３Ｃ  雄ネジ部
３Ｄ  雌ネジ部                    ３Ｅ  先端口
３Ｆ  開口                        ３Ｇ  ガイドリブ
３Ｈ  ガイド溝                    ３Ｉ  ガイド傾斜面
１１    回転子                    １１Ａ  凹部
１１Ｂ  キー部                    １２    ボタン部
１４    コイルバネ                １５    バネ受筒
２０    ボールペンチップ          ２１Ａ  パイプ部
２１Ｂ  テーパー部                ２１Ｃ  縮径部
２１    ホルダー                    ２２    カシメ部
３０    中空部                    ３１    ボールハウス
３２    バック孔                  ３３    小径部
３４    大径部                    ３５Ａ  周縁
３５    インク誘導孔              ４０    受座部
４１Ａ  端縁                      ４１Ｂ  端縁
４１    受座面                    ４３Ａ  内側面
４３    チャンネル溝              ４４    チャンネル枝溝
４５    チャンネル枝溝          ４６    チャンネル補助溝
４７    チャンネル補助溝
【図３】
2010208182.tif 000004
【図４】
2010208182.tif 000005
【図５】
2010208182.tif 000006
【図６】
2010208182.tif 000007
【図７】
2010208182.tif 000008
【図８】
2010208182.tif 000009
【図９】
2010208182.tif 000010
【図１０】
2010208182.tif 000011
【図１１】
2010208182.tif 000012
【図１２】
2010208182.tif 000013
【図１３】
2010208182.tif 000014
【図１】
2010208182.tif 000015
【図２】
2010208182.tif 000016